【手続補正書】
【提出日】平成18年10月18日(2006.10.18)
【手続補正１】
【補正対象書類名】明細書
【補正対象項目名】発明の名称
【補正方法】変更
【補正の内容】
【発明の名称】情報処理装置、情報処理方法、およびプログラム記録媒体
【手続補正２】
【補正対象書類名】明細書
【補正対象項目名】特許請求の範囲
【補正方法】変更
【補正の内容】
【特許請求の範囲】
【請求項１】  装置に割り当てられた割り当て情報と、その割り当て情報が割り当てられている装置がリボークされているかどうかを表すリボーク情報、および暗号化データが記録される記録媒体から、上記リボーク情報と上記暗号化データを読み出す読み出し手段と、
上記読み出し手段により読み出された上記リボーク情報に基づいて自身がリボークされているかどうかを判断する判断手段と、
上記判断手段による判断の結果に基づいて自身に記録された復号鍵を用いて、上記読み出し手段により読み出された上記暗号化データを復号する復号手段と
を備えることを特徴とする情報処理装置。
【請求項２】  上記リボーク情報は、リボークされたデバイスの情報を示すフラグであることを特徴とする請求項１に記載の情報処理装置。
【請求項３】  上記判断手段による判断の結果、自身がリボークされていると判断された場合、処理を終了することを特徴とする請求項１に記載の情報処理装置。
【請求項４】  装置に割り当てられた割り当て情報と、その割り当て情報が割り当てられている装置がリボークされているかどうかを表すリボーク情報、および暗号化データが記録される記録媒体から読み出された上記リボーク情報に基づいて自身がリボークされているかどうかを判断する判断工程と、
上記判断工程による判断の結果に基づいて自身に記録された復号鍵を用いて、上記記録媒体から読み出された上記暗号化データを復号する復号工程と
を備えることを特徴とする情報処理方法。
【請求項５】  上記リボーク情報は、リボークされたデバイスの情報を示すフラグであることを特徴とする請求項４に記載の情報処理方法。
【請求項６】上記判断工程による判断の結果、自身がリボークされていると判断された場合、処理を終了することを特徴とする請求項４に記載の情報処理方法。
【請求項７】  コンピュータに実行させるプログラムが記録されているプログラム記録媒体であって、
装置に割り当てられた割り当て情報と、その割り当て情報が割り当てられている装置がリボークされているかどうかを表すリボーク情報、および暗号化データが記録される記録媒体から読み出された上記リボーク情報に基づいて自身がリボークされているかどうかを判断する判断工程と、
上記判断工程による判断の結果に基づいて自身に記録された復号鍵を用いて、上記記録媒体から読み出された上記暗号化データを復号する復号工程と
を備えるプログラムが記録されている
ことを特徴とするプログラム記録媒体。
【手続補正３】
【補正対象書類名】明細書
【補正対象項目名】０００１
【補正方法】変更
【補正の内容】
【０００１】
本発明は、情報処理装置、情報処理方法、およびプログラム記録媒体に関し、特に、例えば、違法コピーを、より強固に防止することができるようにする情報処理装置、情報処理方法、およびプログラム記録媒体に関する。
【手続補正４】
【補正対象書類名】明細書
【補正対象項目名】００１６
【補正方法】変更
【補正の内容】
【００１６】
【課題を解決するための手段】
本発明の情報処理装置は、装置に割り当てられた割り当て情報と、その割り当て情報が割り当てられている装置がリボークされているかどうかを表すリボーク情報、および暗号化データが記録される記録媒体から、リボーク情報と暗号化データを読み出す読み出し手段と、読み出し手段により読み出されたリボーク情報に基づいて自身がリボークされているかどうかを判断する判断手段と、判断手段による判断の結果に基づいて自身に記録された復号鍵を用いて、読み出し手段により読み出された暗号化データを復号する復号手段とを備えることを特徴とする。
【手続補正５】
【補正対象書類名】明細書
【補正対象項目名】００１７
【補正方法】変更
【補正の内容】
【００１７】
リボーク情報は、リボークされたデバイスの情報を示すフラグとすることができる。
【手続補正６】
【補正対象書類名】明細書
【補正対象項目名】００１８
【補正方法】変更
【補正の内容】
【００１８】
本発明の情報処理装置では、判断手段による判断の結果、自身がリボークされていると判断された場合、処理を終了することができる。
【手続補正７】
【補正対象書類名】明細書
【補正対象項目名】００１９
【補正方法】変更
【補正の内容】
【００１９】
本発明の情報処理方法は、装置に割り当てられた割り当て情報と、その割り当て情報が割り当てられている装置がリボークされているかどうかを表すリボーク情報、および暗号化データが記録される記録媒体から読み出されたリボーク情報に基づいて自身がリボークされているかどうかを判断する判断工程と、判断工程による判断の結果に基づいて自身に記録された復号鍵を用いて、記録媒体から読み出された暗号化データを復号する復号工程とを備えることを特徴とする。
【手続補正８】
【補正対象書類名】明細書
【補正対象項目名】００２０
【補正方法】変更
【補正の内容】
【００２０】
リボーク情報は、リボークされたデバイスの情報を示すフラグとすることができる。
【手続補正９】
【補正対象書類名】明細書
【補正対象項目名】００２１
【補正方法】変更
【補正の内容】
【００２１】
本発明の情報処理方法では、判断工程による判断の結果、自身がリボークされていると判断された場合、処理を終了することができる。
【手続補正１０】
【補正対象書類名】明細書
【補正対象項目名】００２２
【補正方法】変更
【補正の内容】
【００２２】
本発明のプログラム記録媒体は、装置に割り当てられた割り当て情報と、その割り当て情報が割り当てられている装置がリボークされているかどうかを表すリボーク情報、および暗号化データが記録される記録媒体から読み出されたリボーク情報に基づいて自身がリボークされているかどうかを判断する判断工程と、判断工程による判断の結果に基づいて自身に記録された復号鍵を用いて、記録媒体から読み出された暗号化データを復号する復号工程とを備えるプログラムが記録されていることを特徴とする。
【手続補正１１】
【補正対象書類名】明細書
【補正対象項目名】００２３
【補正方法】変更
【補正の内容】
【００２３】
本発明の情報処理装置および情報処理方法、並びにプログラム記録媒体においては、装置に割り当てられた割り当て情報と、その割り当て情報が割り当てられている装置がリボークされているかどうかを表すリボーク情報、および暗号化データが記録される記録媒体から読み出されたリボーク情報に基づいて自身がリボークされているかどうかが判断され、その結果に基づいて自身に記録された復号鍵を用いて、記録媒体から読み出された暗号化データが復号される。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】０１３７
【補正方法】変更
【補正の内容】
【０１３７】
【発明の効果】
本発明の情報処理装置および情報処理方法、並びにプログラム記録媒体によれば、装置に割り当てられた割り当て情報と、その割り当て情報が割り当てられている装置がリボークされているかどうかを表すリボーク情報、および暗号化データが記録される記録媒体から読み出されたリボーク情報に基づいて自身がリボークされているかどうかが判断され、その結果に基づいて自身に記録された復号鍵を用いて、記録媒体から読み出された暗号化データが復号される。従って、データの違法コピーを、より強固に防止することが可能となる。
【手続補正３０】
【補正対象書類名】明細書
【補正対象項目名】０１３８
【補正方法】削除
【補正の内容】